(57)【要約】【課題】画像形成装置の付属装置の電源として蓄電部を付属装置に搭載する場合に、付属装置の動作を最適化する。【解決手段】制御部３０３は、ジョブの実行を待機している待機時に、電力変換器３０１から供給される電力を用いて蓄電部３０５を充電させる。また、制御部３０３は、付属装置としてのシート給送装置１００を使用するプリントジョブを実行する場合において、蓄電部３０５の蓄電量が当該プリントジョブの実行によって消費される電力に満たないときは、当該プリントジョブの実行を後回しにする。【選択図】図３
2007248729.tif 000002
【特許請求の範囲】
【請求項１】
自身の構成部材に電力を供給する蓄電部を有する付属装置を付設可能な画像形成装置において、
商用電源から供給される電力に基づいて複数の電源電圧を生成する電源生成部と、
前記電源生成部から供給される電力を用いて前記蓄電部を充電させる充電制御手段と、
前記付属装置を使用するジョブの実行形態を前記蓄電部の蓄電量に応じて制御するジョブ制御手段と、
を有することを特徴とする画像形成装置。
【請求項２】
前記ジョブ制御手段は、前記蓄電部の蓄電量が前記付属装置を使用するジョブの実行によって消費される電力に満たない場合は、当該ジョブの実行順序を変更することを特徴とする請求項１に記載の画像形成装置。
【請求項３】
前記ジョブ制御手段は、前記付属装置を使用するジョブの実行中に該付属装置内の所定の構成部材を駆動させる必要が生じた場合において、前記蓄電部の蓄電量が該所定の構成部材を駆動する電力に満たないときは、該付属装置と同等の機能を有する前記画像形成装置内の装置を用いて該ジョブの実行を続行させることを特徴とする請求項１又は２に記載の画像形成装置。
【請求項４】
前記ジョブ制御手段は、前記付属装置を使用するジョブの実行中に該付属装置内の所定の構成部材を駆動させる必要が生じた場合において、前記蓄電部の蓄電量が該所定の構成部材を駆動する電力に満たないときは、該ジョブの実行を一旦停止して前記充電制御部により該蓄電部を充電させた後に該所定の構成部材を駆動して該ジョブの実行を続行させることを特徴とする請求項１又は２に記載の画像形成装置。
【請求項５】
前記ジョブ制御手段は、前記付属装置と同等の機能を有する前記画像形成装置内の装置を利用できない場合に、前記ジョブの実行を一旦停止して前記充電制御部により前記蓄電部を充電させた後に前記所定の構成部材を駆動して該ジョブの実行を続行させることを特徴とする請求項４に記載の画像形成装置。
【請求項６】
前記付属装置は、前記画像形成装置に画像記録用のシートを給送するシート給送装置であって、シートを積載した積載部を昇降させる昇降部を有することを特徴とする請求項１〜５の何れかに記載の画像形成装置。
【請求項７】
前記充電制御手段は、ジョブの実行を待機している待機時に、前記電源生成部から供給される電力を用いて前記蓄電部を充電させることを特徴とする請求項１〜６の何れかに記載の画像形成装置。
【請求項８】
前記充電制御手段は、前記付属装置に設けられた充電部を用いて、前記電源生成部から供給される電力に基づいて前記蓄電部を充電させることを特徴とする請求項１〜７の何れかに記載の画像形成装置。
【請求項９】
自身の構成部材に電力を供給する蓄電部を有する付属装置を付設可能な画像形成装置の制御方法であって、
商用電源から供給される電力に基づいて複数の電源電圧を生成する電源生成部から供給される電力を用いて前記蓄電部を充電させる充電制御工程と、
前記付属装置を使用するジョブの実行形態を前記蓄電部の蓄電量に応じて制御するジョブ制御工程と、
を有することを特徴とする制御方法。
【請求項１０】
請求項９に記載の制御方法を実行するプログラム。
【発明の詳細な説明】
【技術分野】
【０００１】
本発明は、画像形成装置に関し、特に、選択的に提供されて付設されるシート給送装置等の付属装置の電源に係る技術に関する。
【背景技術】
【０００２】
従来、画像形成装置に対してシート給送装置、シート後処理装置等の付属装置を注文に応じて選択的に提供する場合があった。この場合、電力を単純に画像形成装置側から付属装置に供給すると、例えばシート給送装置がリフト機構を有する等により消費電力が多くなる場合は、画像形成装置側で電源容量オーバーとなって画像形成処理がダウンする虞がある。
【０００３】
そこで、電力変換器、すなわち商用の交流電圧から所定の直流電圧に変換するレギュレータ等を、付属装置用に画像形成装置に別途設けることが提案されている（特許文献１参照）
図８は画像形成装置と付属装置を接続したシステムを背面から見た図である。特許文献１では、図８に示したように、プリンタ本体１１０Ｂは、オプションペーパーデッキ１１３Ｂに対して、第３コネクタ１２０Ｂ、及び第３電源ケーブル１１９Ｂを介して、制御信号及び電源をオプションペーパーデッキ１１３Ｂに供給している。また、プリンタ本体１１０Ｂは、オプションのシート後処理装置１１４Ｂに対して、第４コネクタ１２２Ｂ、及び第４電源ケーブル１２１Ｂを介して、制御信号及び電源をシート後処理装置１１４Ｂに供給している。また、第３コネクタ１２０Ｂには、プリンタ本体１１０Ｂ用の電力変換器とは別に、オプション装置用の電力変換器が取り付けられている。
【特許文献１】特開平２００３−３７０４２３号公報
【発明の開示】
【発明が解決しようとする課題】
【０００４】
上記のように、特許文献１では、付属装置用の電力変換器が画像形成装置本体用の電力変換器とは別に設けられている。このため、付属装置の付設を希望しないユーザにとっては、自分が利用しない電力変換器の分まで画像形成装置本体の価格に反映されてしまうため、割高に感じてしまう。
【０００５】
また、付属装置の付設を希望するユーザにとっては、複数の電力変換器が設けられているため、電力の使用効率が悪化し、商用電源の使用代金が高くなってしまう。また、ユーザは、複数の付属装置の全てを希望するとは限らず、例えばシート給送装置だけを希望し、シート後処理装置は希望しない場合も想定される。
【０００６】
そこで、画像形成装置本体に複数の電力変換器を設けることなく、各付属装置に電力変換器よりも安価な二次電池、コンデンサ等の蓄電部を設けることが考えられる。この場合、蓄電部の充電量（蓄電量、又は残容量と同義、以下同様）を考慮して付属装置の動作を最適化する必要がある。
【０００７】
本発明は、このような背景の下になされたもので、その目的は、画像形成装置の付属装置の電源として蓄電部を付属装置に搭載する場合に、付属装置の動作を最適化することにある。
【課題を解決するための手段】
【０００８】
上記目的を達成するため、本発明は、自身の構成部材に電力を供給する蓄電部を有する付属装置を付設可能な画像形成装置において、商用電源から供給される電力に基づいて複数の電源電圧を生成する電源生成部と、前記電源生成部から供給される電力を用いて前記蓄電部を充電させる充電制御手段と、前記付属装置を使用するジョブの実行形態を前記蓄電部の蓄電量に応じて制御するジョブ制御手段とを有することを特徴とする。
【発明の効果】
【０００９】
本発明によれば、商用電源から供給される電力に基づいて複数の電源電圧を生成する電源生成部から供給される電力を用いて前記蓄電部を充電させ、付属装置を使用するジョブの実行形態を蓄電部の蓄電量に応じて制御しているので、画像形成装置の付属装置の電源として蓄電部を付属装置に搭載する場合に、付属装置の動作を最適化することが可能となる。
【発明を実施するための最良の形態】
【００１０】
以下、本発明を実施するための最良の形態を説明する。
【００１１】
図１は、本発明の実施の形態に係る画像形成装置の概略構成を示す断面図である。図１において、画像形成装置本体４００の側面には、選択的に提供される付属装置としてのシート供給装置１００が接続されている。この画像形成装置本体４００は、複写機として構成され、上面には原稿読取装置４１２が配備されている。原稿読取装置４１２は、スキャナと自動原稿搬送装置を有している。スキャナは、原稿を光学的に読み取って電子的な画像データに変換し、この画像データを画像形成装置本体４００に送出する。自動原稿搬送装置は、原稿を光学読取位置に搬送した後に光学読取位置から排出する。
【００１２】
画像形成装置本体４００は、電子写真方式のプリンタ部４０６を有している。すなわち、プリンタ部４０６の露光走査装置４０５は、スキャナから出力された画像データに基づいてレーザビームを変調し、そのレーザビームを感光体ドラム４０８に対して露光走査する。この露光走査により、感光体ドラム４０８の表面には、画像データを反映した静電潜像が形成される。この静電潜像はトナーにより現像され、現像に係るトナー像はシート上に転写される。転写されたトナー像は、定着器４１０によってシート上に定着される。
【００１３】
画像形成装置本体４００は、各種サイズのシートを収納するためのシートカセット４０１〜４０２を有している。また、画像形成装置本体４００は、例えば、シートの両面に画像を形成する場合に片面に画像が形成されたシートを一時的に収納し、画像転写位置に再度搬送するための中間トレイ４０３〜４０４を有している。
【００１４】
なお、画像形成装置本体４００は、電電装置としては、商用電源の交流電圧を本画像形成装置本体４００で必要な各種の直流電圧に変圧する１つのレギュレータ（電力変換器）３０１（図３参照）を有している。
【００１５】
シート給送装置１００は、多数のシートを収納する収納庫１０２が筐体１０１の内部に設けられている。この収納庫１０２は、筐体１０１に対して引出し／収容が自在となっている。また、収納庫１０２には、リフター駆動モータ１１１により昇降されるリフター板１０３が具備され、このリフター板１０３上に大量のシートＳを積層可能となっている。
【００１６】
リフター板１０３上にシートＳを補給する場合は、収納庫１０２を筐体１０１から引出した状態で行う。リフター板１０３上のシートＳは、先端規制板１０４、後端規制板１０５、及び不図示のサイド規制板により、その前後左右の位置が揃えられた状態となっている。これにより、画像形成装置本体４００に対して、安定した姿勢及びタイミングでシートＳを供給することが可能となる。
【００１７】
収納庫１０２の上方には、シートセンサ１０６、シート給送機構２００が設けられている。シート給送機構２００は、上流から順にピックアップローラ２０１、分離ローラ対２０２、引抜きローラ対２０４を備えている。
【００１８】
ピックアップローラ２０１は、リフター板１０３上の最上層のシートの高さ位置が上限位置となるようにリフター板１０３をリフトアップさせ、そのリフトアップ位置を固定した状態で、シートＳ（普通紙）を２０枚まではピックアップできるようになっている。分離ローラ対２０２は、ピックアップローラ２０１により２枚以上のシートＳがピックアップされた場合に、１枚ずつ分離する。引抜きローラ対２０４は、分離された１枚のシートＳを分離ローラ対２０２から引き抜いて、画像形成装置本体４００に給送する。
【００１９】
図２に示したように、シートセンサ１０６は、発光素子１０６ａと受光素子アレイ１０６ｂを有している。この受光素子アレイ１０６ｂは、複数の受光素子が直線状に配列されたものである。また、発光素子１０６ａと受光素子アレイ１０６ｂは、シートＳに対する入射光と反射光のなす角度θが所定の範囲の場合にセンサ出力信号がＯＮとなるような形で、シートセンサ１０６の筐体（図示省略）に取付けられている。
【００２０】
すなわち、リフター板１０３上の最上層のシートＳの高さ位置が上限位置となるようにリフター板１０３をリフトアップさせ、そのリフトアップ位置を固定した状態でシートＳの給紙を開始したとする。この場合、シートセンサ１０６は、前述の２０枚のシート（普通紙）が給送される迄の間はセンサ出力信号がＯＮ状態を維持し、リフター板１０３上のシートＳがそれ以上減った場合は、センサ出力信号がＯＦＦとなるように構成されている。
【００２１】
換言すれば、シートセンサ１０６は、上記の状態でシートＳの給紙を開始した場合に、ピックアップローラ２０１によるシートＳのピックアップ動作が不能になり、リフター板１０３をリフトアップする必要が生じたことを検出するために設けられている。
【００２２】
次に、画像形成装置本体４００、及びシート給送装置１００の電源系統を主とした構成を説明する。図３に示したように、画像形成装置本体４００は、電力変換器３０１、本体負荷３０２、制御部３０３を有している。シート給送装置１００は、充電回路３０４、蓄電部３０５、オプション負荷３０６を有している。
【００２３】
電力変換器３０１は、商用電源３００からの交流電圧を画像形成装置本体４００で必要とされる各種の直流電圧に変換している。本体負荷３０２としては、前述の原稿読取装置４１２、感光ドラム４０６、定着器４１０の他、各種の帯電器、シート搬送用モータ等がある。制御部３０３は、ＣＰＵを中核として構成され、周辺デバイス、負荷ドライバを有している。制御部３０３は、画像形成装置本体４００の各種の動作を制御するだけでなく、シート給送装置１００のシート給送動作等も制御している。また、制御部３０３は、ＬＡＮ等のネットワークに接続されたコンピュータ等の外部装置と通信する機能を有し、外部装置からプリント要求されたデータを蓄積してプリントすることができる。
【００２４】
なお、制御部３０３の周辺デバイスとしてのＲＯＭ等のメモリ３０３ａには、後述する図４〜５，７のフローチャートに対応する処理を行なうアプリケーションプログラムが格納されている。
【００２５】
シート給送装置１００の充電回路３０４は、電力変換器３０１から供給された直流電圧を用いて、制御部３０３の指令に従って蓄電部３０５を充電する。蓄電部３０５は、オプション負荷３０６に電力（直流電圧）を供給する。蓄電部３０５は、充電可能な二次電池、或いはコンデンサにより構成することができる。オプション負荷３０６としては、前述のシートセンサ１０６、リフター駆動モータ１１１、シート給送機構２００等がある。
【００２６】
蓄電部３０５をコンデンサで構成する場合は、蓄電容量が比較的大きい電解系のコンデンサを用いることが望ましい。その中でも、特に、定格電圧、蓄電容量、充放電可能回数等の点で優れた電気二重層コンデンサを用いることが望ましい。
【００２７】
次に、制御部３０３によるプリントジョブの実行制御の概要を、図４のフローチャートに基づいて説明する。
【００２８】
制御部３０３は、画像形成装置本体４００の電源スイッチ（図示省略）がＯＮされると、プリントジョブの有無を判別する（ステップＳ４０１）。その結果、プリントジョブが無ければ、制御部３０３は、電力変換器３０１から充電回路３０４に電力を供給し、充電回路３０４に対して蓄電部３０５の充電（蓄電）を指令して（ステップＳ４０２）、ステップＳ４０１に戻る。
【００２９】
このようにしてステップＳ４０１に戻った時点でもプリントジョブが無ければ、制御部３０３は、充電回路３０４からの満充電信号がＯＮにならない限り充電指令を取り消さず、充電を続行させる。また、制御部３０３は、プリントジョブが無い状態で満充電信号がＯＮになった場合は、リフター駆動モータ１１１を駆動してリフター板１０３を上昇させ、リフター板１０３上の最上層のシートＳが上限位置に来るようにする。
【００３０】
さらに、制御部３０３は、リフター板１０３の上昇動作により蓄電部３０５の電力が消費された結果、充電回路３０４からの満充電信号がＯＦＦになり、プリントジョブも未だ発生していなければ、充電回路３０４に対して蓄電部３０５の充電（蓄電）指令を行なう。
【００３１】
このような制御により、プリント処理が所定時間以上なされない場合は、その間に蓄電部３０５は満充電され、かつリフター板１０３上の最上層のシートＳは上限位置に位置することとなる。従って、蓄電部３０５の電力でシートＳを連続して給送できる枚数を、可及的に増大することが可能となる。
【００３２】
制御部３０３は、ステップＳ４０１プリントにてジョブが有ると判別された場合は、図５に示すジョブ選択処理を行なう（ステップＳ４０３）。次に、制御部３０３は、図６に示すジョブ実行処理を行なって（ステップＳ４０４）、ステップＳ４０１に戻る。
【００３３】
次に、図４のステップＳ４０３におけるジョブ選択処理の一例を、図５のフローチャートに基づいて説明する。
【００３４】
なお、このジョブ選択処理は、シート給送装置１００を用いてプリント処理を行なうプリントジョブだけを選択対象としており、画像形成装置本体４００内のシートカセット４０１,４０２を用いてプリント処理を行なうプリントジョブは選択対象としていないものとする。また、実行時間の予約設定がなされているプリントジョブについては、その実行時間が既に到来しているプリントジョブだけを選択対象としているものとする。
【００３５】
さらに、シート給送装置１００を用いてプリント処理を行なうプリントジョブに対しては、ジョブが発生した順（すなわち、古い順）に後述するＩＤ番号が１、２、３、…といったように昇順に付与されているものとする。また、プリントジョブを実行した場合は、そのプリントジョブは削除し、残りのプリントジョブに対して、古い順にＩＤ番号を付与し直すものとする。
【００３６】
制御部３０３は、発生したプリントジョブの順（古い順）にプリントジョブを実行すべく、変数ＩＤに「１」を初期設定する（ステップＳ５０１）。次に、制御部３０３は、変数ＩＤで示されるＩＤ番号に係るプリントジョブを実行するために必要な給紙枚数を取得する（ステップＳ５０２）。次に、制御部３０３は、必要給紙枚数がシート給送装置１００での給紙可能枚数以下であるか否かを判別する（ステップＳ５０３）。この給紙可能枚数の算出方法は、図６に基づいて後で説明する。
【００３７】
制御部３０３は、必要給紙枚数が給紙可能枚数以下であれば、変数ＩＤで示されているＩＤ番号に係るプリントジョブを選択して（ステップＳ５０７）、図４のメインフローにリターンする。一方、必要給紙枚数が給紙可能枚数より多ければ、制御部３０３は、変数ＩＤのＩＤ番号を「１」だけインクリメントする（ステップＳ５０４）。
【００３８】
次に、制御部３０３は、インクリメントした変数ＩＤで示されるＩＤ番号が、実行すべきプリントジョブの数より大きいか否かを判別する（ステップＳ５０５）。その結果、変数ＩＤで示されるＩＤ番号が、実行すべきプリントジョブの数以下であれば、制御部３０３は、ステップＳ５０２に戻る。
【００３９】
一方、インクリメントした変数ＩＤで示されるＩＤ番号が、実行すべきプリントジョブの数より大きければ、制御部３０３は、ＩＤ番号が「１」である最古のプリントジョブを選択して（ステップＳ５０６）、図４のメインフローにリターンする。このように図４のメインフローにリターンした際には、後述するジョブ実行処理が行なわれる。
【００４０】
なお、インクリメントした変数ＩＤで示されるＩＤ番号が、実行すべきプリントジョブの数より大きいということは、実行すべきプリントジョブの全てにおいて、必要給紙枚数が給紙可能枚数より多いことを意味する。換言すれば、本実施の形態では、プリントジョブが複数ある場合は、古いプリントジョブの順に実行するという原則の下で、給紙可能枚数以下のシート数でプリントアウトを完了できるプリントジョブを優先して実行している。
【００４１】
次に、給紙可能枚数の算出方法を図６に基づいて説明する。リフター板１０３の１回のリフトアップ動作で、すなわち、リフター板１０３上の最上層のシートの高さが上限位置となるようにリフター板１０３をリフトアップさせ、そのリフトアップ位置を固定した状態で、リフター板１０３上のシートＳを何枚給紙できるかは、ピックアップローラ２０１の能力と、シートＳの厚さにより規定される。
【００４２】
ここでは、図６（ａ）に示したように、リフター板１０３の１回のリフトアップ動作に係る普通紙の給紙枚数ｎが２０枚であるものとする。
【００４３】
１回のリフトアップ動作で消費される電力量と、１回のリフトアップ動作で給紙可能な２０枚の普通紙を給紙する場合のシート給送機構２００の動作で消費される電力量を合計した合計消費電力量を求める。本実施の形態では、図６（ｂ）に示したように、１回のリフトアップに係る合計消費電力量Ｗ１が、リフトアップ用の電力を供給する蓄電器３０５の蓄電容量の３％となる場合を想定している。
【００４４】
なお、１回のリフトアップ動作で消費される電力量は、リフター１０３に積載されたシートＳの枚数に拘らずほぼ一定になる。積載されたシート枚数が多い場合はシート重量が多くなるが、その分、リフト量が少なくなり、積載されたシート枚数が少ない場合はシート重量が少なくなるが、その分、リフト量が多くなるからである。
【００４５】
ここで、蓄電器３０５の蓄電量、すなわち現在の充電量Ｗ（図６（ｃ）参照）を検知できれば、図６（ｄ）に示した演算により、給紙可能枚数を算出することができる。なお、充電量Ｗは、公知の充電管理技術で検知できるので、ここでは、充電量Ｗの検知処理の説明は省略する。
【００４６】
図６（ｄ）に示したように、給紙可能枚数ＳＥは、（ｎ／Ｗ１）×Ｗとして算出することができる。ここでは、１回のリフトアップ動作に係る普通紙の給紙枚数ｎは２０枚、１回のリフトアップに係る合計消費電力量Ｗ１は蓄電器３０５の容量の３％としているので、蓄電器３０５が満充電されている状態では、給紙可能枚数ＳＥは６６６枚となる。この６６６枚は、通常のプリント処理では十分な枚数である。
【００４７】
次に、図４のステップＳ４０４におけるジョブ実行処理を、図７のフローチャートに基づいて詳細に説明する。
【００４８】
制御部３０３は、図５のステップ５０６，又はＳ５０６で選択されたプリントジョブの実行が終了したか否かを判別する（ステップＳ７０１）。その結果、選択に係るプリントジョブの実行が完了していれば、ステップＳ４のメインフローにリターンする。
【００４９】
一方、選択に係るプリントジョブの実行が完了していなければ、制御部３０３は、給紙タイミングが到来した際に、シート給紙機構２００を駆動して１枚のシートＳを給紙する（ステップＳ７０２、Ｓ７０３）。そして、制御部３０３は、シートセンサ１０６の出力信号がＯＦＦに変化したか否かを判別する（ステップＳ７０４）。
【００５０】
この場合、シートセンサ１０６の出力信号がＯＮのままであれば、前述のように、リフター板１０３上の最上層のシートが上限位置に来るまでリフター板１０３をリフトアップし、そのリフトアップ位置を固定した状態でシート給紙動作を継続しても給紙が可能であることを意味する。そこで、制御部３０３は、シートセンサ１０６の出力信号がＯＮのままであれば、ステップＳ７０１に戻る。
【００５１】
一方、シートセンサ１０６の出力信号がＯＦＦに変化し、上記のリフトアップ位置ではシート給送装置１００からシート給紙ができなくなった場合は、制御部３０３は、蓄電器３０５の現在の充電量Ｗが、前述の１回のリフトアップに係る合計消費電力量Ｗ１以上であるか否かを判別する（ステップＳ７０５）。その結果、蓄電器３０５の現在の充電量Ｗが、前述の１回のリフトアップに係る合計消費電力量Ｗ１以上であれば、制御部３０３は、リフター駆動モータ１１１を駆動してリフター板１０３をリフトアップする（ステップＳ７０６）。制御部３０３は、その後、ステップＳ７０１に戻ることにより、当該プリントジョブの実行を続行する。
【００５２】
この場合、制御部３０３は、リフター板１０３上の最上層のシートＳが上限位置に来るまでリフター板１０３をリフトアップする。また、制御部３０３は、リフター板１０３上の最上層のシートＳが上限位置に来たことは、シートセンサ１０６の出力信号がＯＦＦからＯＮに変化し、そのＯＮ状態が暫く続いた後にＯＦＦに変化したタイミングにより認識することができる。
【００５３】
ステップＳ７０５にて、蓄電器３０５の現在の充電量Ｗが、１回のリフトアップに係る合計消費電力量Ｗ１より少ないと判別された場合は、制御部３０３は、カセットのシートがなくなった場合に別のカセットに切り換えて給紙を続行するＡＣＣ（Ａｕｔｏ  Ｃａｓｓｅｔｔｅ  Ｃｈａｎｇｅ：以下ＡＣＣという）が可能であるか否かを判別する（ステップＳ７０７）。
【００５４】
このＡＣＣは、現在給紙を行なっているシートカセット等が何らかの要因（通常は紙なし）により給紙を続行できなくなった場合に、同サイズ、同種のシートが積載されている別のシートカセット等からの給紙を行ってプリントジョブを続行するための機能である。このＡＣＣを行うための条件としては、同サイズ、同種のシートが他のシートカセット等に積載されていること以外に、それらのシートカセットからの給紙動作が可能であること、画像形成装置本体４００の設定がＡＣＣを許可していること等が挙げられる。本実施の形態では、ステップＳ７０７では、像形成装置本体４００内のシートカセット４０１，４０２を対象にしてＡＣＣが可能であるか否かを判別する。
【００５５】
ステップＳ７０７にて、ＡＣＣが可能であると判別された場合は、制御部３０３は、ＡＣＣを行う（ステップＳ７０８）。そして、制御部３０３は、ステップＳ７０１に戻ることにより、当該プリントジョブの実行を続行する。
【００５６】
一方、ＡＣＣが不可能であると判別された場合は、制御部３０３は、プリントジョブの実行を一旦停止し、電力変換器３０１から充電回路３０４に電力を供給し、充電回路３０４により蓄電器３０５を充電させる（ステップＳ７０９）。そして、制御部３０３は、ステップＳ７０９に進んで、前述のリフトアップを行なう。
【００５７】
なお、ステップＳ７０９の充電処理では、蓄電器３０５の充電量Ｗが、１回のリフトアップに係る合計消費電力量Ｗ１に達した時点で充電処理を打ち切ることにより、実行中のプリントジョブを可及的速やかに完了させることが望ましい。すなわち、複数のプリントジョブの実行時期が競合する場合は少なく、また、画像形成装置本体４００は、プリントジョブを実行している時間よりも休止している時間の方が遥かに長い。従って画像形成装置本体４００が休止している時間に満充電を行った方が、画像形成装置本体４００を全体的に効率よく利用できるようになる。
【００５８】
以上説明したように、制御部３０３は、ジョブの実行を待機している待機時に、画像形成装置本体４００内の電力変換器３０１から供給される電力を用いて、蓄電部３０５を充電させている。また、制御部３０３は、シート給送装置１００を使用するプリントジョブを実行する場合において、蓄電部３０５の蓄電量が当該プリントジョブの実行によって消費される電力に満たないときは、当該プリントジョブの実行を後回しにしている。
【００５９】
また、制御部３０３は、シート給送装置１００を使用するプリントジョブの実行中にリフター板１０３をリフトアップさせる必要が生じた場合において、蓄電部３０５の蓄電量がそのリフトアップを行なう電力に満たないときは、画像形成装置本体４００内のシートカセットを用いて該プリントジョブの実行を続行させている。
【００６０】
さらに、制御部３０３は、上記のリフトアップが必要な場合に前記シートカセットを利用できないときは、当該プリントジョブの実行を一旦停止して充電回路３０４により蓄電部３０５を充電させた後にリフター板１０３をリフトアップさせて当該プリントジョブの実行を続行させている。
【００６１】
従って、シート給送装置１００用の電力変換器を画像形成装置本体４００に別途設ける必要はなくなり、画像形成装置本体４００の低価格化を図ることが可能となる。また、シート給送装置１００に蓄電部３０５を設けたことに伴い、蓄電部３０５の蓄電量に応じて、シート給送装置１００を使用するプリントジョブの実行形態を最適化することが可能となる。
【００６２】
なお、本発明は、上記の実施の形態に限定されることなく、例えば、シート給送装置以外の付属装置、例えばシート後処理装置に適用することも可能である。また、シートセンサ１０６の代わりに、例えば測距センサ等を用いてもよい。
【００６３】
また、本発明の目的は、前述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【００６４】
この場合、記憶媒体から読み出されたプログラムコード自体が前述した実施の形態の機能を実現することになり、そのプログラムコード及び該プログラムコードを記憶した記憶媒体は本発明を構成することになる。
【００６５】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００６６】
また、コンピュータが読み出したプログラムコードを実行することにより、前述した実施の形態の機能が実現されるだけではなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００６７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した実施の形態の機能が実現される場合も含まれる。
【図面の簡単な説明】
【００６８】
【図１】本発明の実施の形態に係る画像形成装置の概略構成を示す断面図である。
【図２】シート給送装置に設けられたシートセンサの構成を示す図である。
【図３】画像形成装置本体、及びシート給送装置の電源系統を主とした構成を示す構成図である。
【図４】シート給送装置を使用するプリントジョブの実行制御の概要を示すフローチャートである。
【図５】図４のフローチャートにおけるジョブ選択処理の詳細を示すフローチャートである。
【図６】シート給送装置の給紙可能枚数の算出方法を説明するための図である。
【図７】図４のフローチャートにおけるジョブ実行処理の詳細を示すフローチャートである。
【図８】特許文献１に係る装置の構成を示す図である。
【符号の説明】
【００６９】
１００…シート給送装置、１０３…リフター板、１１１…リフターモータ、２００…シート給送機構、３００…商用電源、３０１…電力変換器、３０３…制御部、３０３a…メモリ、３０４…充電回路、３０５…蓄電部、４００…画像形成装置本体、４０１，４０２…シートカセット
【図１】
2007248729.tif 000003
【図２】
2007248729.tif 000004
【図３】
2007248729.tif 000005
【図４】
2007248729.tif 000006
【図５】
2007248729.tif 000007
【図６】
2007248729.tif 000008
【図７】
2007248729.tif 000009
【図８】
2007248729.tif 000010